(57)【要約】【課題】  施工用金具類の使用を最小限にとどめ、瓦本来の美観を損なうことなく防災性・施工性に優れた瓦を提供すること。【解決手段】  隣接する桟瓦１のアンダープレート２をオーバーラップ３にて覆いながら、その頭側４端面に形成された案内コマ９を下段桟瓦１の尻側５に形成された逆Ｌ型スライド案内部８に噛み合わせ、上段・下段の連結一体化を図ると共にスライド案内部８と案内コマ９の噛み合った状態でのスライドにより、防災性能を保持しながら働き長さの変更を可能とした施工性にも優れた桟瓦１を提供できる。【選択図】      図１
2005105570.tif 000002
【特許請求の範囲】
【請求項１】
左右にアンダーラップとオーバーラップを有し、尻側上端やアンダーラップ端部には、水返しや緊結用釘孔を形成した桟瓦であって、その働き幅中央部分にあって働き長さ上限より若干尻側方向に逆Ｌ型のスライド案内部を設け、又オーバーラップ側の頭側端面には案内コマを形成し、施工時においては、隣接桟瓦のアンダーラップ部をオーバーラップ部で覆いながら、頭側端面に形成された案内コマを下段桟瓦のスライド案内部に噛み合わせスライドさせることにより、瓦の上下段・左右の一体化の保持と同時に、当該桟瓦の働き長さ寸法を一定範囲内において可変可能としたことを特徴とする桟瓦。
【請求項２】
左右にアンダーラップとオーバーラップを有し、尻側上端やアンダーラップ端部には、水返しや緊結用釘孔を形成した桟瓦であって、その働き幅中央部分にあって働き長さ上限より若干尻側方向に斜面型スライド案内部を設け、オーバーラップ側の頭側端面には斜面型用案内コマを形成し、施工時においては、隣接桟瓦のアンダーラップ部をオーバーラップ部で覆いながら、頭側端面に形成された案内コマを下段桟瓦のスライド案内部に噛み合わせスライドさせることにより、瓦の上下段・左右の一本化の保持と同時に、当該桟瓦の働き長さ寸法を一定範囲内において可変可能としたことを特徴とする請求項１記載の桟瓦。
【発明の詳細な説明】
【技術分野】
【０００１】
本発明は、屋根材として使用する桟瓦に関するものである。
【背景技術】
【０００２】
従来より、瓦屋根は長い歴史の中で形状・施工法等様々な改良・工夫がなされてきた。特に近年、１９９５年の阪神淡路大震災以後は瓦の耐風性・耐震性共に専用金具の開発や、防災瓦の改良・開発が急ピッチで進められてきた。又、設計・施工ガイドラインや施工マニュアルの充実等、防災性をより高めるべく各分野で研究もされている。
【発明の開示】
【発明が解決しようとする課題】
【０００３】
しかしながら、耐風・耐震の防災性能の強化は少なからず生産性の低下要因となっている感じがある。防災金具や緊結釘の使用増加はコスト高となりかねない。そして従来より開発されている防災機能付の瓦であっても、防災性を優先するあまり、瓦本来の施工性が悪化するといった問題がある。
【０００４】
そこで本発明の目的とするところは、瓦本来の美観を損なうことなく、金具類の使用の少ない防災性・施工性に優れた桟瓦を提供することにある。
【課題を解決するための手段】
【０００５】
上記の目的を達成する為に本発明の請求項１に記載の発明は、屋根材として使用する平板瓦（Ｆ型）の桟瓦１であって、左右にアンダーラップ２とオーバーラップ３を有し、尻側５上端やアンダーラップ２端部には水返し６や緊結用釘孔７を形成した桟瓦であって、その働き幅中央部分にあって働き長さ上限より若干尻側５方向に逆Ｌ型のスライド案内部８を設け、又オーバーラップ３側の頭側４端面には案内コマ９を形成し、施工時においては、隣接桟瓦のアンダーラップ２部をオーバーラップ３部で覆いながら、頭側４端面に形成された案内コマ９を下段桟瓦のスライド案内部８に噛み合わせスライドさせることにより、隣接する瓦の上下段・左右の一体化の保持と同時に、当該桟瓦１の働き長さ寸法を一定範囲内において可変可能としたことを特徴とする。
【０００６】
そして本発明の請求項２に記載の発明は、逆Ｌ型スライド案内部８や案内コマ９の形状を斜面型スライド案内部８ａや斜面型案内コマ９ａとすることにより、正面寸法１０の低い桟瓦１であっても、本発明を実施可能としたことを特徴とする。
【０００７】
尚、記号は図面及び後述する発明の実施の形態に記載された対応要素、又は、対応事項を示す。
【０００８】
本発明の請求項１に記載の桟瓦によれば、オーバーラップ部で隣接桟瓦のアンダーラップ部を覆いながら、下段瓦の釘止め位置付近に形成されたスライド案内部に、そのオーバーラップ頭側端面の案内コマを噛み合わせることにより、上段瓦はアンダーラップとオーバーラップにより一体化すると同時に下段との一体化も可能となる。
【０００９】
又、スライド案内部には噛み合う案内コマが無段階で一定寸法移動出来るようにスライド面が設けてあり、働き長さの一定範囲内での変更ができる。
【００１０】
さらに、スライド案内部は働き長さ上限より若干尻側に上げた位置に形成されているため、施工後は屋根表面に表れることはなく美観を保った瓦屋根を提供することができる。
【００１１】
そして、本発明の請求項２に記載の桟瓦によれば、スライド案内部及び案内コマを斜面型スライド案内部や斜面型用案内コマとすることにより、逆Ｌ型スライド案内部ではスペース的に形状が困難な正面寸法の低い桟瓦にも応用することができる。
【発明の効果】
【００１２】
以上の通り、本発明の請求項１に記載の桟瓦によれば、隣接する桟瓦のアンダーラップ部をオーバーラップ部にて覆いながら、下段桟瓦のスライド案内部に強風によるめくれ・浮上がり防止対策としては、力学上最も有効な固定位置とされるオーバーラップ部頭側端への噛み合わせは最小限の施工金具の使用で最大限の防災効果は生み出すことができる。
【００１３】
そして隣接する桟瓦のアンダーラップ部をオ−バーラップ部にて覆った上段桟瓦の案内コマと下段桟瓦上のスライド案内部との噛み合い及びスライド機能は、瓦本来の美観を損なうことなく防災機能を保持することができる。さらに、施工上において重要な要素の一つとされる働き長さの可変を実現することにより、施工性・生産性に優れた桟瓦を提供することができる。
【００１４】
又、本発明の請求項２に記載の桟瓦によれば、逆Ｌ型スライド案内部がスぺース的に形成不可能な正面寸法の低い桟瓦であっても、斜面型スライド案内部及び斜面型用案内コマにすることにより、防災性・施工性に優れた機能をより多くの種類の桟瓦に提供することができる。
【発明を実施するための最良の形態】
【００１５】
図１及至図１０を参照して本発明の実施形態に係る桟瓦について説明する。図１は桟瓦１を示す平面図である。図２は同底面図である。図３は右側面図、図４は左側面図、図５は正面図、図６は背面図、図７はちどり葦施工参考図、図８は逆Ｌ型スライド案内部、参考拡大図図９は斜面型スライド案内部および斜面用案内コマ参考拡大図
【００１６】
本発明の実施形態に係る桟瓦１は、左右にアンダーラップ２とオーバーラップ３を有し、尻側５上端やアンダーラップ２端部には水返し６や緊結用釘孔７が形成してあり、その働き幅の中央部分にあって、働き長さ上限より若干尻側５方向（重なり部分）に逆Ｌ型スライド案内部８を、オーバーラップ３側の頭側４端面には案内コマ９がそれぞれ形成されている。
【００１７】
本実施形態において、この案内コマ９は桟瓦１の強風によるめくれや浮上がり防止対策として最も有効な位置とされるオーバーラップ３部の頭側４端面に形成されている。この案内コマ９の形成位置、及び端面よりの出っ張り寸法は、施工時において噛み合うスライド案内部８との関連が重要となるため、総合的に決定すべきである。
【００１８】
尚、本実施形態において案内コマ９の形成されたオーバーラップ部３にてアンダーラップ部２を覆いつつ、左右桟瓦１の一体化を完成すると同時に前述案内のコマ９を下段桟瓦１の逆Ｌ型スライド案内部８と噛み合わせながら上段・下段の一体化も実現することができる。
【００１９】
そして、本実施形態において隣接桟瓦１のアンダーラップ部２をオーバーラップ部３で覆いながら、下段桟瓦１に一体形成されたスライド案内部８にそのオーバーラップ部３を噛み合わせ、しかも隣接桟瓦１のアンダーラップ部２と共にスライド案内部８もオーバーラップ部３で覆うため、逆Ｌ型スライド案内部８の形成位置は非常に重要である。
【００２０】
又、本実施形態においてスライド案内部８の長さは、案内コマ９の幅より長く形成されている。これは桟瓦１の働き長さを隣接桟瓦１のアンダーラップ部２をオーバーラップ部３で覆ったままで無段階変更を可能とするものである。
【００２１】
本実施形態において、美観を守るためスライド案内部８及び案内コマ９等防災機能を内臓したり、施工性の向上のためのスライド案内部８と案内コマ９の噛み合いスライドによる働き長さの変更を可能とするには、スライド案内部８の位置や、寸法、形状が重要である。ちなみにスライド案内部８の位置は、（ちどり葺き）施工の場合、左右位置は働き幅センター位置よりオーバーラップ側方向とし、又、上下位置は働き長さ上限から尻側５へ向かって７ｍｍの地点から３０ｍｍが適当である。そして噛み合う相手の案内コマ９の位置を頭側４端面から尻側５方向へ２７ｍｍずらして、案内コマの幅を１０ｍｍに形成すれば、桟瓦１、一枚あたり最大２０ｍｍ働き長さをマイナス方向へ変更できる。
【００２２】
そして本実施形態において、前述スライド案内部８や案内コマ９の位置、寸法の変更により働き長さのプラス方向への変更も可能である。次に、スライド案内部８を逆Ｌ型とするには桟瓦１の正面寸法１０が３０ｍｍ以上必要である。３０ｍｍ以下の場合は、斜面型スライド案内部８ａとする必要がある。その場合、案内コマの形状も斜面型用案内コマ９ａとなる。
【図面の簡単な説明】
【００２３】
【図１】平面図
【図２】底面図
【図３】右側面図
【図４】左側面図
【図５】正面図
【図６】背面図
【図７】ちどり葺施工参考図
【図８】逆Ｌ型スライド案内部参考拡大図
【図９】斜面型スライド案内部及び斜面用案内コマ参考拡大図
【符号の説明】
【００２４】
１    桟瓦
２    アンダーラップ部
３    オーバーラップ部
４    頭側
５    尻側
６    水返し
７    緊結用釘孔
８    逆Ｌ型スライド案内部
８ａ  斜面型スライド案内部
９    案内コマ
９ａ  斜面型用案内コマ
１０  正面寸法
【図１】
2005105570.tif 000003
【図２】
2005105570.tif 000004
【図３】
2005105570.tif 000005
【図４】
2005105570.tif 000006
【図５】
2005105570.tif 000007
【図６】
2005105570.tif 000008
【図７】
2005105570.tif 000009
【図８】
2005105570.tif 000010
【図９】
2005105570.tif 000011